(57)【要約】【課題】チャフシーブでの選別性能を向上させるべく、フィードパンにおいても粗選別が可能な構成を提供する。【解決手段】選別部は、フィードパン３２と、チャフシーブと、揺動機構と、振動機構６２と、を備えている。フィードパン３２は、脱穀部の下方に配置され、略板状に構成される。チャフシーブは、フィードパン３２によって搬送された被選別物を受け取ることができる位置に配置されるとともに、穀粒が下方に通過できるように構成されている。揺動機構は、フィードパン３２及びチャフシーブを、選別搬送方向に沿って往復揺動させる。振動機構６２は、フィードパン３２を、少なくとも上下方向に振動させる。【選択図】図４
2015109816.tif 000002
【特許請求の範囲】
【請求項１】
穀稈を脱穀する脱穀部と、
前記脱穀部で発生した被選別物を所定の選別搬送方向に搬送しつつ、当該被選別物から穀粒を選別する選別部と、
を備えたコンバインであって、
前記選別部は、
前記脱穀部の下方に配置された略板状のフィードパンと、
前記フィードパンによって搬送された被選別物を受け取ることができる位置に配置されるとともに、穀粒が下方に通過できるように構成されたチャフシーブと、
前記フィードパン及びチャフシーブを、前記選別搬送方向に沿って往復揺動させる揺動機構と、
前記フィードパンを、少なくとも上下方向に振動させる振動機構と、
を備えることを特徴とするコンバイン。
【請求項２】
請求項１に記載のコンバインであって、
前記脱穀部による脱穀を終えた穀稈の量を検知する排ワラ量センサを備え、
前記振動機構は、前記排ワラ量センサの検知結果に連動して前記フィードパンの振動速度を変化させることを特徴とするコンバイン。
【請求項３】
請求項１又は２に記載のコンバインであって、
当該コンバインの走行速度を検知する車速センサを備え、
前記振動機構は、前記車速センサの検知結果に連動して前記フィードパンの振動速度を変化させることを特徴とするコンバイン。
【請求項４】
請求項１から３までの何れか一項に記載のコンバインであって、
前記チャフシーブ上の被選別物の流量を検知する流量センサを備え、
前記振動機構は、前記流量センサの検知結果に連動して前記フィードパンの振動速度を変化させることを特徴とするコンバイン。
【請求項５】
請求項１から４までの何れか一項に記載のコンバインであって、
前記選別搬送方向で前記チャフシーブの下流側端部の下方に配置された二番回収部と、
前記二番回収部で回収された二番物を処理し、当該処理によって発生した被選別物を前記フィードパンに投入する二番処理装置と、
前記二番物の流量を検知する還元量センサと、
を備え、
前記振動機構は、前記還元量センサの検知結果に連動して前記フィードパンの振動速度を変化させることを特徴とするコンバイン。
【請求項６】
請求項２から５までの何れか一項に記載のコンバインであって、
前記振動機構による前記フィードパンの振動速度を制御する制御部を備え、
前記制御部は、
排ワラ量が多いほど前記振動速度を速くする第１制御、
走行速度が速いほど前記振動速度を速くする第２制御、
前記チャフシーブ上の被選別物の流量が多いほど前記振動速度を速くする第３制御、
二番物の流量が多いほど前記振動速度を速くする第４制御、
のうちの少なくとも何れか１つの制御を行うことを特徴とするコンバイン。
【請求項７】
請求項１から６までの何れか一項に記載のコンバインであって、
前記フィードパン及び前記チャフシーブを支持し、前記揺動機構によって往復揺動駆動される揺動フレームを備え、
前記振動機構は、
前記フィードパンの前記選別搬送方向上流側の端部近傍を、前記揺動フレームに対して回転可能に支持する支持軸と、
前記フィードパンの前記選別搬送方向下流側の端部近傍を略上下方向に往復移動させるカム機構と、
前記カム機構を駆動する電動モータと、
を備え、
前記電動モータは、前記揺動機構とは独立していることを特徴とするコンバイン。
【発明の詳細な説明】
【技術分野】
【０００１】
本発明は、コンバインが備える揺動選別装置の構成に関する。
【背景技術】
【０００２】
コンバインは、穀稈を脱穀する扱胴を備えている。脱穀の際には、目的物である穀粒（籾）の他にも、枝梗や藁屑などが発生する（これらをまとめて「被選別物」と称する）。そこで、扱胴の下方には、被選別物の中から穀粒を選別して取り出す選別装置が配置されている。
【０００３】
選別装置は、前後方向に揺動することにより、被選別物を粗選別する揺動選別部を備えている。特許文献１及び特許文献２には、フィードパン（特許文献２ではグレンパン）とチャフシーブを備えた構成の揺動選別部が開示されている。
【０００４】
フィードパンは、平板状ないしトレイ状に形成され、扱胴の下方に配置される。このフィードパンによって、扱胴で発生した被選別物が受け止められる。フィードパンによって受け止められた被選別物は、当該フィードパンが前後揺動することにより、後方に向けて搬送される。
【０００５】
前記フィードパンの後端まで搬送された被選別物は、揺動するチャフシーブの上に落下し、当該チャフシーブにおいて揺動選別される。
【先行技術文献】
【特許文献】
【０００６】
【特許文献１】特開２００７−０７４９８４号公報
【特許文献２】実開平５−０９５２５４号公報
【発明の概要】
【発明が解決しようとする課題】
【０００７】
近年、コンバインの性能の更なる向上が望まれている。そこで、揺動選別部の選別性能を向上させることが望まれるが、チャフシーブによる揺動選別の性能を向上させるには限界がある。
【０００８】
ところで、従来から揺動選別部が備えているフィードパンは、被選別物を選別する機能は特に有していない。そこで、このフィードパンにおいても何らかの方法で粗選別を行うことができれば、その下流側のチャフシーブにおける揺動選別の効率を向上させ、コンバイン全体の性能向上を図ることができると考えられる。
【０００９】
本願発明の課題は以上のごとくであり、その目的は、チャフシーブでの選別性能を向上させるべく、フィードパンにおいても粗選別が可能な構成を提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成のコンバインが提供される。即ち、このコンバインは、脱穀部と、選別部と、を備える。前記脱穀部は、穀稈を脱穀する。前記選別部は、前記脱穀部で発生した被選別物を所定の選別搬送方向に搬送しつつ、当該被選別物から穀粒を選別する。前記選別部は、フィードパンと、チャフシーブと、揺動機構と、振動機構と、を備える。前記フィードパンは、前記脱穀部の下方に配置され、略板状に構成される。前記チャフシーブは、前記フィードパンによって搬送された被選別物を受け取ることができる位置に配置されるとともに、穀粒が下方に通過できるように構成される。前記揺動機構は、前記フィードパン及びチャフシーブを、前記選別搬送方向に沿って往復揺動させる。前記振動機構は、前記フィードパンを、少なくとも上下方向に振動させる。
【００１２】
フィードパンを上下に振動させることにより、当該フィードパン上で被選別物の粗選別を促進させることができる。具体的には、フィードパンを上下に振動させることにより、当該フィードパン上の被選別物の層において、枝梗付きの穀粒（籾）は上層部に上がってくるとともに、枝梗が付いていない穀粒は下層部に下がっていく。このように、チャフシーブに供給する前に、被選別物をフィードパンにおいて粗選別できるので、チャフシーブにおける揺動選別を効率的に行うことができる。
【００１３】
上記のコンバインは、以下のように構成されることが好ましい。即ち、当該コンバインは、前記脱穀部による脱穀を終えた穀稈の量を検知する排ワラ量センサを備える。前記振動機構は、前記排ワラ量センサの検知結果に連動して前記フィードパンの振動速度を変化させる。
【００１４】
これにより、排ワラ量に応じて、フィードパンの振動速度を変化させることができるので、当該フィードパンによる粗選別を作業状態に応じて行うことができ、選別良好、ロス減少となる。
【００１５】
上記のコンバインは、以下のように構成することもできる。即ち、コンバインは、当該コンバインの走行速度を検知する車速センサを備える。前記振動機構は、前記車速センサの検知結果に連動して前記フィードパンの振動速度を変化させる。
【００１６】
これにより、車速に応じて、フィードパンの振動速度を変化させることができるので、当該フィードパンによる粗選別を作業状態に応じて行うことができ、選別良好、ロス減少となる。
【００１７】
上記のコンバインは、以下のように構成することもできる。即ち、当該コンバイは、前記チャフシーブ上の被選別物の流量を検知する流量センサを備える。前記振動機構は、前記流量センサの検知結果に連動して前記フィードパンの振動速度を変化させる。
【００１８】
これにより、被選別物の流量に応じて、フィードパンの振動速度を変化させることができるので、当該フィードパンによる粗選別を作業状態に応じて行うことができ、選別良好、ロス減少となる。
【００１９】
上記のコンバインは、以下のように構成することもできる。即ち、当該コンバインは、前記選別搬送方向で前記チャフシーブの下流側端部の下方に配置された二番回収部と、前記二番回収部で回収された二番物を処理し、当該処理によって発生した被選別物を前記フィードパンに投入する二番処理装置と、前記二番物の流量を検知する還元量センサと、を備える。前記振動機構は、前記還元量センサの検知結果に連動して前記フィードパンの振動速度を変化させる。
【００２０】
これにより、二番物の還元量に応じて、フィードパンの振動速度を変化させることができるので、当該フィードパンによる粗選別を作業状態に応じて行うことができ、選別良好、ロス減少となる。
【００２１】
上記のコンバインは、以下のように構成することが好ましい。即ち、このコンバインは、前記振動機構による前記フィードパンの振動速度を制御する制御部を備える。前記制御部は、排ワラ量が多いほど前記振動速度を速くする第１制御、走行速度が速いほど前記振動速度を速くする第２制御、前記チャフシーブ上の被選別物の流量が多いほど前記振動速度を速くする第３制御、二番物の流量が多いほど前記振動速度を速くする第４制御、のうちの少なくとも何れか１つの制御を行う。
【００２２】
即ち、被選別物の流量が多いほど、フィードパンの振動速度を大きくすることにより、フィードパンによる粗選別を作業状態に応じて適切に行うことができる。
また、排ワラ量が多いほど、フィードパン上の被選別物の量が多いと考えられる。そこで、排ワラ量が多いほど、フィードパンの振動速度を速くすることにより、フィードパンによる粗選別を作業状態に応じて適切に行うことができる。
同様に、走行速度が速いほど、フィードパン上の被選別物の量が多いと考えられる。そこで、走行速度が速いほど、フィードパンの振動速度を速くすることにより、フィードパンによる粗選別を作業状態に応じて適切に行うことができる。
また同様に、二番物の流量が多いほど、フィードパン上の被選別物の量が多いと考えられる。そこで、二番物の量が多いほど、フィードパンの振動速度を速くすることにより、フィードパンによる粗選別を作業状態に応じて適切に行うことができる。
【００２３】
上記のコンバインは、前記フィードパン及び前記チャフシーブを支持するとともに前記揺動機構によって往復揺動駆動される揺動フレームを備え、以下のように構成されることが好ましい。即ち、前記振動機構は、支持軸と、カム機構と、電動モータと、を備える。前記支持軸は、前記フィードパンの前記選別搬送方向上流側の端部近傍を、前記揺動フレームに対して回転可能に支持する。前記カム機構は、前記フィードパンの前記選別搬送方向下流側の端部近傍を略上下方向に往復移動させる。前記電動モータは、前記カム機構を駆動する。そして、前記電動モータは、前記揺動機構とは独立している。
【００２４】
以上の構成で、フィードパンを上下に振動させる機構を、簡単な構成で実現できる。また、電動モータの回転速度を変更することにより、フィードパンの振動速度を簡単に変更できる。また、当該電動モータを、揺動機構とは独立して設けるので、フィードパンの振動速度を柔軟に変更できる。
【図面の簡単な説明】
【００２５】
【図１】本発明の一実施形態に係るコンバインの側面図。
【図２】脱穀部及び選別部を主に示す側面断面図。
【図３】二番還元機構を主に示す背面断面図。
【図４】フィードパンの振動機構を主に示す側面図。
【図５】フィードパンの振動機構を主に示す背面断面図。
【発明を実施するための形態】
【００２６】
以下、本発明の実施形態について図面を参照しながら説明する。図１は本実施形態に係るコンバインの右側面図である。なお、以下の説明において、「右」「左」と言った場合には、コンバイン１０の機体の右左を基準として言うものとする。また、「前」「後」と言った場合には、コンバイン１０の進行方向を前方としたときの前後を言うものとする。
【００２７】
本実施形態のコンバイン１０は、いわゆる自脱型コンバインとして構成されている。図１に示すように、本実施形態のコンバイン１０は、稲、麦等の穀稈の株元を刈り取るための刈取部１２を機体本体の前方に備えている。また、コンバイン１０の機体下部には、機体を走行させるためのクローラ部１３が設けられている。なお、コンバイン１０は、走行速度を検出する車速センサ５０（図４）を備えている。
【００２８】
刈取部１２の後方であって、コンバイン１０の左側には、穀稈搬送部１１が設けられている。穀稈搬送部１１は、穀稈搬送チェーン１４と、押圧部材１５（図３）を備えている。穀稈搬送チェーン１４は、図２に示すように、無端環状に構成され、スプロケット（図略）の回転によって循環駆動されるように構成されている。押圧部材１５は、穀稈搬送チェーン１４の上面に対して押圧されるように構成されている。
【００２９】
刈取部１２によって刈り取られた穀稈１６は、その根元部分を、穀稈搬送チェーン１４の上面と押圧部材１５との間に挟み込まれて保持される（図３参照）。この状態で穀稈搬送チェーン１４を循環駆動することにより、穀稈搬送部１１は、穀稈１６を後方に向けて搬送する。
【００３０】
上記穀稈搬送部１１によって搬送される穀稈１６は、脱穀部１７によって脱穀される。また、脱穀部１７の下方には、当該脱穀部１７で発生した被選別物の中から、穀粒（籾）を選別して取り出す選別部１８が設けられている。
【００３１】
選別部１８で選別された穀粒を貯留するためのグレンタンク（図略）が、脱穀部１７及び選別部１８に並設してコンバイン１０の上部右側に備えられている。選別部１８で選別された穀粒は、図略のコンベア機構によって前記グレンタンクまで搬送され、当該グレンタンクに貯留される。
【００３２】
グレンタンクの前方には、オペレータが搭乗するための搭乗部１９が配置されている。この搭乗部１９には、コンバイン１０の機体を操向操作するためのステアリングハンドル、オペレータが坐るための運転座席等が設けられている。
【００３３】
コンバイン１０は、グレンタンク内の穀粒を外部に排出するための排出オーガ２０を備えている。排出オーガ２０は、その基端部がグレンタンクに接続され、先端部には排出口２１が形成されている。排出オーガ２０内には、グレンタンク内の穀粒を排出口２１まで搬送するスクリューコンベア（図略）が設けられている。
【００３４】
続いて、脱穀部１７の構成について説明する。
【００３５】
図２及び図３に示すように、脱穀部１７は、扱胴２３とクリンプ網２４を有している。
【００３６】
扱胴２３は、その先端部が面取りされた円筒形状に構成されており、その中心軸がコンバイン１０の前後方向と略平行になるように配置されている。また、扱胴２３の中心軸には、コンバイン１０のエンジンからの駆動力が入力されている。これにより、扱胴２３が、中心軸を中心にして一方向に回転駆動される。また、扱胴２３の外周には複数の扱歯２５が植設されている。
【００３７】
クリンプ網２４は、扱胴２３の下方に配置されている。このクリンプ網２４は、扱胴２３の下部の周面に沿うように円弧面状に構成されている（図３参照）。
【００３８】
前述のように、穀稈搬送部１１は、穀稈を後方に向けて搬送する。扱胴２３は前後方向に沿って配置されているから、前記穀稈は、扱胴２３の軸線に沿って搬送される。図３に示すように、穀稈搬送部１１によって穀稈１６を搬送することにより、当該穀稈１６の穂先１６ａの部分が、扱胴２３の周面に沿った状態となるように構成されている。なお、本実施形態の脱穀部１７は、下扱ぎ式の脱穀装置として構成されている。即ち、穀稈１６の穂先１６ａは、扱胴２３の下側を通過する（図３参照）。この構成で、穀稈搬送部１１によって搬送される穀稈１６は、その穂先１６ａの部分が、扱胴２３の周面とクリンプ網２４との間の隙間を通過する。そして、図３に太線で示す矢印の方向に扱胴２３が回転することにより、穂先１６ａが、扱歯２５とクリンプ網２４によるもみほぐし作用等を受けることにより、当該穂先１６ａから穀粒（籾）が取り外される。
【００３９】
以上のように、扱胴２３を回転させることにより、穀稈１６の穂先１６ａから穀粒が取り外される。穀稈１６から取り外された穀粒は、クリンプ網２４を通り抜けて下方に落下する。なお、扱胴２３においては、穀粒が単独で取り外されるとは限らず、枝梗が付いたままの状態で穀粒が取り外されることがある。また、扱胴２３の回転による衝撃作用などにより、穀粒が付いていない枝梗や、藁屑なども発生する。従って、クリンプ網２４からは、これらの混合物が落下する。クリンプ網２４から落下する混合物を「被選別物」と称する。
【００４０】
クリンプ網２４から落下した前記被選別物は、選別部１８において選別され、当該被選別物の中から穀粒が取り出される。
【００４１】
一方、穀粒が取り外されたあとの穀稈を、排ワラと称する。排ワラは、穀稈搬送部１１によって後方に搬送されていき、当該穀稈搬送部１１の終端部から、排ワラ搬送部２６（図２）に受け渡される。排ワラ搬送部２６は、無端環状に構成されて循環駆動される排ワラ搬送チェーン２７と、当該排ワラ搬送チェーン２７の下方において排ワラをガイドする排ワラガイド２８とを備えている。排ワラは、排ワラ搬送チェーン２７と排ワラガイド２８によって挟み込まれた状態で、当該排ワラ搬送チェーン２７が循環駆動されることにより後方に向けて搬送される。そして、当該排ワラは、図略の処理装置によって細断された後、コンバイン１０の機外に排出される。
【００４２】
なお、排ワラガイド２８には、排ワラの流量を検知するための排ワラ量センサ２９が設けられている。排ワラ量センサ２９は、具体的には、排ワラガイド２８が押し下げられた量に基づいて、排ワラの流量を検知するように構成されている。即ち、排ワラガイド２８が押し下げられた量が大きいほど、排ワラの流量が多いと判断できるので、排ワラ量センサ２９はこれに基づいて排ワラの流量を検出する。
【００４３】
続いて、選別部１８の構成について説明する。選別部１８は、揺動選別部３０と、風選別部３１から構成されている。
【００４４】
揺動選別部３０は、扱胴２３及びクリンプ網２４のすぐ下方に配置されている。この揺動選別部３０は、フィードパン３２、チャフシーブ３３、ストローラック３４、揺動フレーム３５、及び図略の揺動機構を備えている。
【００４５】
揺動フレーム３５は、フィードパン３２、チャフシーブ３３、及びストローラック３４を支持している。前記揺動機構は、コンバイン１０の車体本体に対して、揺動フレーム３５を扱胴２３の軸線と平行な方向（前後方向）に沿って往復揺動させるように構成されている。これにより、フィードパン３２及びチャフシーブ３３を前後方向に揺動駆動することができる。
【００４６】
フィードパン３２は平板状の部材であり、その上面が扱胴２３の下面に対向して配置されている。また、フィードパン３２は、その後方が若干低くなるように、水平面に対して傾いて配置されている。
【００４７】
クリンプ網２４から落下してくる被選別物は、フィードパン３２の上面によって受け止められる。フィードパン３２は後方が低くなるように傾いて配置されているので、当該フィードパン３２が前後に揺動駆動されることにより、当該フィードパン３２上の被選別物が、後方に向けて搬送される。
【００４８】
フィードパン３２上の被選別物は、後方に向けて搬送されてゆき、当該フィードパン３２の後端部から落下し、チャフシーブ３３によって受け止められる。
【００４９】
チャフシーブ３３は、フィードパン３２の搬送方向下流側端部から落下した被選別物を受け止めることができる位置に配置されている。チャフシーブ３３は、略左右方向に横架された複数のチャフフィン３６を、前後方向に複数並べて配置したものである。複数のチャフフィン３６は、互いに適宜の間隔を空けて配置されている。
【００５０】
チャフシーブ３３を前後に揺動させることで、当該チャフシーブ３３上の被選別物のうち、穀粒や藁屑などの小さい被選別物はチャフフィン３６の間を通って下に落ちる。一方、比較的大きは被選別物はチャフフィン３６に引っ掛かって残る。このように、チャフシーブ３３によって、被選別物の粗選別を行うことができる。
【００５１】
また、チャフフィン３６は、その上面が、斜め前方側を向くようにして配置されている。これにより、チャフシーブ３３を装置前後方向に揺動させることにより、チャフフィン３６に引っ掛かっている被選別物は、装置後方に向けて搬送されていく。
【００５２】
チャフシーブ３３の上面側には、当該チャフシーブ３３上の被選別物の流量を検出する流量センサ３７（図２）が設けられている。流量センサ３７は、具体的には、チャフシーブ３３上の被選別物の層に対して上方から接触する接触部材を備えている。即ち、前記接触部材の姿勢に基づいて、被選別物の層の厚さを検出できる。そして、被選別物の層が厚いほど、被選別物の流量が多いと判断できるので、流量センサ３７はこれに基づいて被選別物の流量を検出する。
【００５３】
以上のように、揺動選別部３０は、被選別物を、装置後方に向けて搬送しつつ選別する構成である。揺動選別部３０における被選別物の搬送方向（本実施形態の場合はコンバイン１０の後方向き）を、以下の説明では単に選別搬送方向と呼ぶ。本実施形態のコンバイン１０において、揺動選別部３０による選別搬送方向は、扱胴２３の軸線と略平行な方向となっている。
【００５４】
なお、比較的大きな被選別物は、チャフフィン３６の間を通り抜けて落下できないので、チャフシーブ３３の前後揺動によって、当該チャフシーブ３３の選別搬送方向下流側の端部まで搬送される。図２に示すように、チャフシーブ３３の下流側端部の先には、ストローラック３４が配置されている。このストローラック３４は、特に大きな枝梗などを引っかけて受けとめることができるように構成されている。なお、ストローラック３４は、車体の左右方向で隙間を開けて配置されているので、ある程度小さい被選別物は、当該ストローラック３４をすり抜けて下方に落下する。
【００５５】
ストローラック３４の上面は、鋸歯状に形成されている。これにより、ストローラック３４に引っ掛かった大きな枝梗は、当該ストローラック３４が前後揺動することにより選別搬送方向後方に向けて搬送され、図略の排出口から機外に排出される。
【００５６】
次に風選別部３１について説明する。この風選別部３１は、唐箕ファン４１と、グレンシーブ４２と、を備えている。風選別部３１は、揺動選別部３０の下方に配置されている。
【００５７】
グレンシーブ４２は網目状のプレス、又はクリンプ網として構成されており、チャフシーブ３３の下方に配置される。チャフシーブ３３から落下してくる被選別物は、グレンシーブ４２によって受け止められる。穀粒等の小さな被選別物は、グレンシーブ４２を通過して下方に落下できる。また、グレンシーブ４２の下方には、スクリューコンベアとして構成された一番コンベア（一番回収部）４３が配置されている。
【００５８】
唐箕ファン４１は、選別搬送方向で下流向きの選別風を発生させ、当該選別風をグレンシーブ４２に対して下側から当てるように構成されている。
【００５９】
以上の構成で、グレンシーブ４２から落下してくる被選別物に対して、唐箕ファン４１が生起する選別風が当てられる。そして、この選別風にかかわらず略垂直に落下する比重の重い物、即ち穀粒は一番物と呼ばれる。一番物は一番コンベア４３に導入され、それ以外の比重の軽いもの（藁屑など）は選別搬送方向下流側に向けて吹き飛ばされる。
【００６０】
一番コンベア４３に導入された一番物（穀粒）は、当該一番コンベア４３によって搬送され、前記グレンタンクに貯蔵される。以上により、被選別物から穀粒を選別して取り出すことができる。
【００６１】
チャフシーブ３３の選別搬送方向下流側の端部の下方（ストローラック３４の下方）には、スクリューコンベアとして構成された二番コンベア（二番回収部）４４が配置されている。従って、チャフシーブ３３上に残った被選別物は、当該チャフシーブ３３上を下流側に向けて搬送されていき、最終的には二番コンベア４４に落下する。また、グレンシーブ４２に落下した被選別物のうち、唐箕ファン４１の選別風により吹き飛ばされた被選別物も、二番コンベア４４に落下する。風選別部３１は、二番コンベア４４に落下する被選別物に対して選別搬送方向下流側に向けて上向きの風を当てる送風ファン４５を有している。
【００６２】
二番コンベア４４に落下する被選別物のうち、穀粒が付いた枝梗等は比較的重いので、送風ファン４５の風にもかかわらず落下して二番コンベア４４に導入される。このように、二番コンベア４４に導入される被選別物を、二番物と称する。一方、穀粒の付いていない枝梗や藁屑等は、送風ファン４５の風によって吹き飛ばされ、吸引ファン４６によって装置の外に排出される。
【００６３】
上記のように、二番コンベア４４に導入された二番物の中には、穀粒が付いた枝梗が含まれている。従って、二番物を再処理することにより、穀粒を取り出す余地がある。そこで、コンバイン１０は、二番物を再処理するための二番処理装置４７を備えている（図３）。
【００６４】
二番コンベア４４に導入された二番物は、当該二番コンベア４４の終端まで搬送される。二番コンベア４４の終端には、二番還元コンベア４８の始端が接続されている（図３）。二番還元コンベア４８は、斜め上下方向に配置されている（図２）。そして、この二番還元コンベア４８の終端には、前述の二番処理装置４７が接続されている。前記二番物は、二番還元コンベア４８によって二番処理装置４７まで搬送される。
【００６５】
なお、図３に示すように、二番還元コンベア４８は、二番物の流量を検出する還元量センサ４９を備えている。還元量センサ４９は、具体的には、二番還元コンベア４８を駆動する際のトルクに基づいて、二番物の流量を検出する。即ち、二番還元コンベア４８を駆動するために必要なトルクが大きいほど、二番物の流量が多いと判断できるので、還元量センサ４９はこれに基づいて二番物の流量を検出する。
【００６６】
二番処理装置４７の詳細な図示は省略するが、当該二番処理装置４７は、回転する二番処理胴と、当該二番処理胴の周囲に設けられた処理羽などから構成されている。二番還元コンベア４８によって二番処理装置４７に供給された二番物は、回転する処理羽によって処理され、穀粒が取り外される。二番処理装置４７は、処理が終わった二番物を、フィードパン３２の上に放出するように構成されている（図３参照）。
【００６７】
続いて、本実施形態のコンバイン１０の特徴的な構成について、図４及び図５を参照して説明する。
【００６８】
本実施形態の揺動選別部３０は、フィードパン３２を上下に振動させるための振動機構６２を有している。振動機構６２は、カム機構５２と、電動モータ５３と、を備えている。なお、振動機構６２は、揺動フレーム３５に支持されている。従って、より正確に言えば、振動機構６２は、フィードパン３２を、揺動フレーム３５に対して上下に振動させるものである。
【００６９】
電動モータ５３は、振動機構６２の駆動源である。電動モータ５３の出力軸には、出力ギア５４が固定されている。図５に示すように、電動モータ５３は、揺動フレーム３５に支持されている。
【００７０】
カム機構５２は、電動モータ５３が出力する回転運動を、上下運動に変換してフィードパン３２に伝達する。具体的には、カム機構５２は、偏心カム５５と、カムフォロア５６と、ベアリング５７と、を備えている。
【００７１】
偏心カム５５は、カム軸５８に対して固定されており、かつ当該カム軸５８に対して偏心して設けられている。カム軸５８は、略水平かつ選別搬送方向に直交する方向（コンバンの車体左右方向）に沿って配置されている。また、カム軸５８は、揺動フレーム３５に対して、適宜のステー６３等を介して回転可能に支持されている（図５）。
【００７２】
カム軸５８には、入力ギア６０が固定されている。この入力ギア６０は、前述の出力ギア５４と噛み合うように構成されている（図４及び図５）。従って、電動モータ５３によりカム軸５８を回転駆動することで、偏心カム５５を偏心回転運動させることができる。
【００７３】
カムフォロア５６には、長孔５９が形成されている。図４及び図５に示すように、当該長孔５９の内側には、偏心カム５５が配置されている。また、偏心カム５５の周囲には、ベアリング５７が設けられている。偏心カム５５は、ベアリング５７を介して、長孔５９の内周面に接触するように構成されている。
【００７４】
そして、長孔５９は、当該長孔５９の内部で偏心カム５５が偏心回転運動することにより、カムフォロア５６を略上下方向に移動させるように形成されている。
【００７５】
上記カムフォロア５６は、フィードパン３２に固定されている。なお、本実施形態では、カムフォロア５６は、フィードパン３２下面であって、当該フィードパン３２の後端部（選別搬送方向下流側の端部）近傍に固定されている（図４参照）。
【００７６】
また、当該フィードパン３２は、支軸５１によって、揺動フレーム３５に対して回動可能に支持されている。支軸５１は、略水平かつ選別搬送方向に直交する方向（コンバンの車体左右方向）に沿って配置されている。なお、本実施形態では、フィードパン３２の前端部（選別搬送方向上流側の端部）近傍が、支軸５１によって支持されている（図４）。
【００７７】
以上の構成により、フィードパン３２を、揺動フレーム３５に対して、支軸５１を支点として、略上下方向に振動させることができる。なお前述のように、揺動フレーム３５は、コンバイン１０の車体本体に対して前後に揺動するように構成されている。従って、本実施形態のフィードパン３２は、コンバイン１０の車体に対して、前後に揺動しつつ上下に振動する。
【００７８】
フィードパン３２を前後に揺動させつつ、上下に振動させることにより、フィードパン３２の上の被選別物を、後方に向けて搬送しながら、粗選別できる。即ち、フィードパン３２の上下の振動によって、当該フィードパン３２上の被選別物の層の中で、比重が比較的大きいもの（穀粒など）は、下層部に下がる。また、比重が比較的小さいものは、上層部に上がる。
【００７９】
このように、本実施形態のフィードパン３２は、被選別物を粗選別しつつ後方に搬送できるので、チャフシーブ３３に対して、粗選別された状態で被選別物を供給できる。これにより、チャフシーブ３３における選別の効率が向上する。
【００８０】
即ち、フィードパン３２からチャフシーブ３３に供給された被選別物の層の中で、下層部には、比重が比較的大きいもの（穀粒）が集まっている。従って、チャフシーブ３３における揺動選別の際に、穀粒が、チャフシーブ３３から落下し易くなっている。これにより、穀粒を、一番コンベア４３で回収し易くなっているので、穀粒のロスを低減できる。
【００８１】
また、フィードパン３２からチャフシーブ３３に供給された被選別物の層の中で、上層部には、比重が比較的小さいものが集まっている。例えば、穀粒が付いた枝梗などは、比重が比較的小さいので、被選別物の層の上層部に多く含まれている。従って、チャフシーブ３３における揺動選別の際に、穀粒が付いた枝梗は、チャフシーブ３３から落下しにくくなっており、結果的に、二番コンベア４４に回収され易くなっている。これにより、穀粒が付いた枝梗を、二番物として効率良く回収できるので、穀粒のロスを低減できる。
【００８２】
また、藁屑も比重が小さいため、被選別物の層の上層部に多く含まれている。従って、チャフシーブ３３における揺動選別の際に、藁屑は、チャフシーブ３３から落下しにくくなっている。これにより、藁屑がグレンシーブ４２上に落ちにくくなっているので、当該グレンシーブ４２が藁屑によって詰まりにくくなり、風選別部３１による選別性能も向上する。
【００８３】
フィードパン３２を上下に振動させる速度（振動速度）は、特に限定されない。フィードパン３２の振動速度が速いほど、当該フィードパン３２による粗選別を効率良く行うことができる。しかしながら、不必要に速い振動速度でフィードパン３２を振動させても、エネルギーの無駄となってしまう。また、振動速度が速過ぎると、騒音の原因となるばかりでなく、穀粒が損傷する原因にもなりうる。そこで、フィードパン３２の振動速度は、適切な速度となるように制御されていることが好ましい。
【００８４】
本実施形態では、フィードパン３２を上下に振動させるための専用の駆動源（電動モータ５３）を設けている。即ち、電動モータ５３は、揺動選別部３０の揺動機構とは、別個独立して設けられている。従って、フィードパン３２の振動速度は、揺動選別部３０の揺動速度とは無関係に設定できる。これにより、フィードパン３２を、最適な振動速度で振動させることができるので、当該フィードパン３２の振動による粗選別を効率的に行うことができる。
【００８５】
本実施形態のコンバイン１０は、電動モータ５３の回転速度を制御する制御部６１を備えている。即ち、制御部６１は、電動モータ５３の回転速度を制御することにより、フィードパン３２の振動速度を制御できる。
【００８６】
本実施形態の制御部６１は、コンバイン１０の作業状態に応じて、フィードパン３２の振動速度を変化させるように制御を行う。即ち、コンバイン１０の作業状態によって、フィードパン３２上の被選別物の量は異なる。そして、フィードパン３２上の被選別物の量が多いほど、当該フィードパン３２の振動速度を速くして、当該フィードパン３２による粗選別の効率を向上させる必要がある。逆に、フィードパン３２上の被選別物の量が少なければ、フィードパン３２の振動速度を遅くすることができる。そこで、コンバインの作業状態に応じて振動速度を変更することにより、フィードパン３２における粗選別を効率的に行うことができ、結果的に選別良好となり、穀粒のロスを減少させることができる。
【００８７】
例えば本実施形態の制御部６１は、排ワラの量に連動して、フィードパン３２の振動速度を変化させるように構成されている。より具体的には、制御部６１は、排ワラ量センサ２９の検出結果に基づいて、排ワラの流量が多いほど、フィードパン３２の振動速度を速くするように制御している（第１制御）。
【００８８】
即ち、排ワラの量が多いということは、フィードパン３２上の被選別物の量も多いと考えられる。そこで上記のように、排ワラの量が多いほど、フィードパン３２の振動速度を速くすることにより、当該フィードパン３２による粗選別を、被選別物の量に応じて効率良く行うことができる。
【００８９】
以上で説明したように、本実施形態のコンバイン１０は、脱穀部１７と、選別部１８と、を備えている。脱穀部１７は、穀稈を脱穀する。選別部１８は、脱穀部１７で発生した被選別物を所定の選別搬送方向に搬送しつつ、当該被選別物から穀粒を選別する。選別部１８は、フィードパン３２と、チャフシーブ３３と、揺動機構と、振動機構６２と、を備えている。フィードパン３２は、脱穀部１７の下方に配置され、略板状に構成される。チャフシーブ３３は、フィードパン３２によって搬送された被選別物を受け取ることができる位置に配置されるとともに、穀粒が下方に通過できるように構成されている。揺動機構は、フィードパン３２及びチャフシーブ３３を、選別搬送方向に沿って往復揺動させる。振動機構６２は、フィードパン３２を、少なくとも上下方向に振動させる。
【００９０】
フィードパン３２を上下に振動させることにより、当該フィードパン３２上で被選別物の粗選別を促進させることができる。このように、チャフシーブ３３に供給する前に、被選別物をフィードパン３２において粗選別できるので、チャフシーブ３３における揺動選別を効率的に行うことができる。
【００９１】
また上記のように、本実施形態のコンバイン１０は、脱穀部１７による脱穀を終えた穀稈の量を検知する排ワラ量センサ２９を備えている。振動機構６２は、排ワラ量センサ２９の検知結果に連動してフィードパン３２の振動速度を変化させている。より具体的には、振動機構６２によるフィードパン３２の振動速度を制御する制御部６１が、排ワラ量が多いほど前記振動速度を大きくする第１制御を行っている。
【００９２】
これにより、排ワラ量に応じて、フィードパン３２の振動速度を変化させることができるので、当該フィードパン３２による粗選別を作業状態に応じて行うことができ、選別良好、ロス減少となる。
【００９３】
続いて、上記実施形態の変形例について説明する。
【００９４】
上記実施形態では、制御部６１は、排ワラの量に応じて、フィードパン３２の振動速度を制御しているが、振動速度の制御はこれに限らない。
【００９５】
例えば、上記実施形態のコンバイン１０は、チャフシーブ３３上の被選別物の流量を検知する流量センサ３７を備えている。そこで、振動機構６２は、流量センサ３７の検知結果に連動してフィードパン３２の振動速度を変化させてもよい。
【００９６】
具体的には、制御部６１は、チャフシーブ３３上の被選別物の流量が多いほど前記振動速度を速くするように制御（第３制御）を行う。
【００９７】
このように、被選別物の流量が多いほど、フィードパン３２の振動速度を大きくすることにより、フィードパン３２による粗選別を作業状態に応じて適切に行うことができる。
【００９８】
また、上記実施形態のコンバイン１０は、当該コンバイン１０の走行速度を検知する車速センサ５０を備えている。そこで、振動機構６２は、車速センサ５０の検知結果に連動してフィードパン３２の振動速度を変化させてもよい。
【００９９】
具体的には、制御部６１は、走行速度が速いほど前記振動速度を速くするように制御（第２制御）を行う。
【０１００】
即ち、走行速度が速いほど、穀稈を刈り取る速度も速くなるので、フィードパン３２上の被選別物の量が多いと考えられる。そこで、上記のように、走行速度が速いほど、フィードパン３２の振動速度を速くすることにより、フィードパンによる粗選別を作業状態に応じて適切に行うことができる。
【０１０１】
また、上記実施形態のコンバイン１０は、二番物の流量を検知する還元量センサ４９を備えている。そこで、振動機構６２は、還元量センサ４９の検知結果に連動してフィードパン３２の振動速度を変化させてもよい。
【０１０２】
具体的には、制御部６１は、二番物の流量が多いほど前記振動速度を速くするように制御（第４制御）を行う。
【０１０３】
即ち、二番物の流量が多いほど、二番処理装置４７がフィードパン３２に放出する被選別物の量が増えるので、フィードパン３２上の被選別物の量が多いと考えられる。そこで、二番物の流量が多いほど、フィードパン３２の振動速度を速くすることにより、フィードパン３２による粗選別を作業状態に応じて適切に行うことができる。
【０１０４】
以上に本発明の好適な実施の形態（及び変形例）を説明したが、上記の構成は例えば以下のように変更することができる。
【０１０５】
上記実施形態及び変形例で説明した第１制御、第２制御、第３制御、及び第４制御は、組み合わせることができる。即ち、複数のセンサ（例えば、排ワラ量センサ２９、流量センサ３７、車速センサ５０、還元量センサ４９など）の結果に基づいて、フィードパン３２の振動速度を制御しても良い。複数のセンサを参照し、コンバイン１０の作業状態を複合的に判断することにより、より適切な制御が可能となる。もちろん、上記実施形態で説明したセンサ以外のセンサに基づいて、フィードパン３２の振動速度を制御することも可能である。
【０１０６】
もっとも、フィードパン３２の振動速度は、作業状態によらず一定であっても良い。
【０１０７】
上記実施形態では、フィードパン３２を上下に振動させるための振動機構６２の構成を具体的に説明したが、振動機構６２の構成はこれに限らず、適宜変更できる。
【符号の説明】
【０１０８】
１０  コンバイン
１７  脱穀部
１８  選別部
３０  揺動選別部
３２  フィードパン
３３  チャフシーブ
６２  振動機構
【図１】
2015109816.tif 000003
【図２】
2015109816.tif 000004
【図３】
2015109816.tif 000005
【図４】
2015109816.tif 000006
【図５】
2015109816.tif 000007